(57)【要約】【課題】本発明は、フック機構を必要とせず、かつ蓋体を容器本体に対して付勢して保持するするとともに、蓋体と容器本体を閉止状態でロックして不用意に蓋体が開くことのないコンパクト容器を提供することを目的とする。【解決手段】本発明に係るコンパクト容器の代表的な構成は、蓋体２と、容器本体３とをヒンジ部において回動自在に枢着したコンパクト容器１において、容器本体３は、ヒンジ部において、第１の位置Ｐ１と第２の位置Ｐ２とに前後方向に移動可能なロック部材５を有し、蓋体２は、ヒンジ部において、ロック部材５が第１の位置Ｐ１にある場合には蓋体２の一部がロック部材５に当接して回動を阻止され、ロック部材５が第２の位置Ｐ２にある場合にはロック部材５が蓋体２の回動経路から退避して蓋体２の回動が許容されることを特徴とする。【選択図】  図１
2005279145.tif 000002
【特許請求の範囲】
【請求項１】
蓋体と、容器本体とをヒンジ部において回動自在に枢着したコンパクト容器において、
前記容器本体は、前記ヒンジ部において、第１の位置と第２の位置とに前後方向に移動可能なロック部材を有し、
前記蓋体は、前記ヒンジ部において、前記ロック部材が第１の位置にある場合には前記蓋体の一部が前記ロック部材に当接して回動を阻止され、前記ロック部材が第２の位置にある場合には前記ロック部材が前記蓋体の回動経路から退避して前記蓋体の回動が許容されることを特徴とするコンパクト容器。
【請求項２】
請求項１記載のコンパクト容器であって、
前記ロック部材は、第１の位置に付勢されており、付勢力に抗して第２の位置に押圧することで前記蓋体との干渉を避けることを特徴とするコンパクト容器。
【発明の詳細な説明】
【技術分野】
【０００１】
本発明は、化粧料を収納するコンパクト容器に関し、特に蓋体に容器本体とのフック機構のないコンパクト容器に関する。
【背景技術】
【０００２】
化粧料を収納して持ち運ぶために、コンパクト容器が使用されている。コンパクト容器は、化粧料を入れる容器本体と、該容器本体に重なり合うように成型された蓋体とにより構成される。
【０００３】
一般に、コンパクト容器の容器本体と蓋体には、それぞれの後方部にヒンジ部が形成されている。このためコンパクト容器の使用時には、蓋体をヒンジ部を中心に回動させることで、容器本体に対して開閉自在に構成されている。また、コンパクト容器の非使用時においては、蓋体を容器本体に対して閉止状態にするために、容器本体と蓋体の前方部にフック機構を設け、互いに係合させる構成をとっていた（特許文献１乃至特許文献３参照）。
【０００４】
しかし、フック機構は複数の部品を要する場合が多いため構成が複雑となり、コストがかさむといった問題があった。また、意匠上、蓋体にフック機構がない構成も考えられる。
【０００５】
そこで、コンパクト容器が閉じた状態においても、常に蓋体が閉じる方向への付勢力が働くことになり、フック機構を必要とせず、かつ蓋体を容器本体に対して付勢して保持するコンパクト容器が提案されている（特願2003-376533参照）。
【０００６】
【特許文献１】特開２００３−１８０４４２号公報
【特許文献２】特開２００３−０００３３５号公報
【特許文献３】特開２００２−３０６２３６号公報
【発明の開示】
【発明が解決しようとする課題】
【０００７】
しかしながら、上記特願2003-376533に記載のコンパクト容器は、通常の使用で不用意に蓋体が開くことはないが、ハンドバック等に入れて携帯した際に、バック内の所持品と衝突して蓋体が開いてしまうおそれがある。
【０００８】
そこで本発明は、フック機構を必要とせず、かつ蓋体を容器本体に対して付勢して保持するするとともに、蓋体と容器本体を閉止状態でロックして不用意に蓋体が開くことのないコンパクト容器を提供することを目的とする。
【課題を解決するための手段】
【０００９】
上記課題を解決するために本発明に係るコンパクト容器の第一の構成は、蓋体と、容器本体とをヒンジ部において回動自在に枢着したコンパクト容器において、前記容器本体は、前記ヒンジ部において、第１の位置と第２の位置とに前後方向に移動可能なロック部材を有し、前記蓋体は、前記ヒンジ部において、前記ロック部材が第１の位置にある場合には前記蓋体の一部が前記ロック部材に当接して回動を阻止され、前記ロック部材が第２の位置にある場合には前記ロック部材が前記蓋体の回動経路から退避して前記蓋体の回動が許容されることを特徴とする。
【００１０】
また、本発明に係る化粧用容器の第二の構成は、第一の構成ののコンパクト容器であって、前記ロック部材は、第１の位置に付勢されており、付勢力に抗して第２の位置に移動させることで前記蓋体との干渉を避けて、前記蓋体の回動を許容することを特徴とする。
【発明の効果】
【００１１】
本発明に係る化粧用容器によれば、フック機構を必要とすることなく、ヒンジ部においてロック部材を第一の位置に移動させることで、蓋体と容器本体を閉止状態でロックして不用意に蓋体が開くことを防止できる。
【００１２】
また、本発明に係る化粧用容器の構成によれば、ロック部材は、蓋体をロックする第１の位置に戻るように付勢されているため、特別な操作をすることなく、蓋体を閉じる動作に連動して自動的に蓋体をロックすることができる。
【発明を実施するための最良の形態】
【００１３】
本発明に係るコンパクト容器の実施形態について、図を用いて説明する。図１はコンパクト容器の構成図、図２はヒンジ部の詳細構成の分解斜視図、図３（ａ）はコンパクト容器を開いた状態におけるヒンジ部の説明図、図３（ｂ）はコンパクト容器を閉じた状態におけるヒンジ部の説明図、図４（ａ）は容器本体の平面図、図４（ｂ）はコンパクト容器の断面図、図５（ａ）は蓋体をロックした状態におけるヒンジ部の断面図、図５（ｂ）は蓋体のロックを解除した状態におけるヒンジ部の断面図である。
【００１４】
（コンパクト容器）
図１に示すように、化粧料等を収容する化粧用容器１は、蓋体２、容器本体３、中皿４から構成される。
【００１５】
蓋体２は、その内面の中央に鏡11（図４参照）、内面の背面側の両端にヒンジ用凸部２ａを設け、容器本体３にヒンジ結合している。容器本体３は、内側に中皿４を囲って収納する周側壁３ｃを設け、周側壁３ｃの背面側にヒンジ用凸部３ａを設けている。中皿４は、長方形の平面形状に形成されており、化粧料を収納する収納部４ａが形成されている。
【００１６】
蓋体２を容器本体３に重ね合わせた状態で、ヒンジ用凸部２ａがヒンジ用凸部３ａの両端に位置し、ヒンジ用凸部２ａ、３ａの軸穴にヒンジユニット30を形成することにより、ヒンジ用凸部２ａは両側を容器本体３に支持されることとなり、蓋体２が容器本体３に対して回動可能に蝶着される。ヒンジ用凸部３ａは、蓋体２を回動する際に蓋体２と干渉しないように背面側がテーパー形状となっている。また、蓋体２、容器本体３の背面には、ヒンジ部において、蓋体２を閉じた状態にロックするロック機構40が設けられている。
【００１７】
（ヒンジ部の詳細構成）
次に、ヒンジ部の詳細構成を説明する。ヒンジユニット30は蓋体２側に固定される軸受部材31と、容器本体３側に固定される回動軸部材32とから構成される。
【００１８】
図２に示すように、軸受部材31は、内部に回動軸部材32に嵌合するための嵌合凹部31ａが形成される。また、回動軸部材32は、軸受部材31に近い方から、カバー部材32ａ、回動部材32ｂ、係止部材32ｃ、付勢部材32ｄ、カバー底部材32ｅの５つの部材を一体的に組立てて構成される。次に、回動軸部材32の各部材について詳細に説明する。
【００１９】
カバー部材32ａは回動軸部材32の外装を構成するもので、回転軸方向に円形の穴32ａ１を有し、カバー側面に少なくとも一つの係止穴32ａ２を有する。また、カバー部材32ａは回動軸部材32の外装をなすとともに、内部側面においてはガイド部材としての役割も担う。即ち、穴32ａ１は回動軸部材32を軸を中心に回動をするためのガイド部材であり、係止部材32ｃを軸方向に摺動させるためのガイド部材である。
【００２０】
回動部材32ｂは、カバー部材32ａの穴32ａ１から突出する四角形状の嵌合凸部32ｂ１と、カバー部材32ａの穴32ａ１とほぼ同径の円筒部32ｂ３と、係止部材32ｃに係合する係合凹部32ｂ２とが形成される。ここで、係合凹部32ｂ２は奥に行くほど狭くなるような傾斜面が形成されるテーパー形状となっているため、係合凹部32ｂ２は係合凸部32ｃ１から離脱することができる。
【００２１】
係止部材32ｃは、テーパー形状の係合凸部32ｃ１を有し、付勢部材32ｄの作用により軸方向で回動部材32ｂ側に付勢される。このため、係合凸部32ｃ１が係合凹部32ｂ２に係合すると、回動部材32ｂを固定することができる。また、回動部材32ｂが回動すると、係合凹部32ｂ２が係合凸部32ｃ１のテーパー形状の斜面に沿って移動すると同時に、係止部材32ｃが回動部材32ｂと反対方向へ付勢部材32ｄの付勢力に抗して移動する。このため、係合凹部32ｂ２が係合凸部32ｃ１から離脱可能な構成となっている。
【００２２】
尚、上述した係合凹部32ｂ２及び係合凸部32ｃ１は、互いに係合する形状であればよいため、片方の係合凹部32ｂ２を凸部とし、他方の係合凸部32ｃ１を凹部としてもよい。
【００２３】
カバー底部材32ｅは、付勢部材32ｄを支持するため、付勢部材32ｄの外形と同様の形状の穴が空いている。これが付勢部材支持部32ｅ１である。また、カバー底部材32ｅの側面にはカバー部材32ａの穴32ａ１に係止するための係止突起32ｅ２が形成されている。このため、カバー部材32ａをカバー底部材32ｅにかぶせて、カバー底部材32ｅの係止突起32ｅ２をカバー部材32ａの係止穴32ａ２に係止させることで、回動軸部材32が一体的な構成となる。
【００２４】
（ロック機構）
図１、図４に示すように、ロック機構40は、支持凹部３ｄ、操作凹部３ｅ、ロック部材５から構成されている。
【００２５】
支持凹部３ｄは、容器本体３の表面かつ、ヒンジ部の幅方向中央に形成されている。支持凹部３ｄは、容器本体３の背面に開口部３ｄ２を形成しており、容器本体３の前面側の幅方向左右にロック部材５の板バネ部５ｂが摺動する摺動凹部３ｄ１を形成している。支持凹部３ｄは、前面側と背面側の壁面で、ロック部材５を第１の位置と第２の位置の間を前後方向に移動可能に支持している。
【００２６】
操作凹部３ｅは、容器本体３のヒンジ用凸部３ａの背面側かつ、ロック部材５のロック凸部５ａの下部に形成されている。
【００２７】
ロック部材５は、開口部３ｄ２から突出したロック凸部５ａと、ロック部材５を第１の位置Ｐ１に付勢する板バネ部５ｂと、第１の位置Ｐ１で支持凹部３ｄの背面側の壁面に突き当たる突き当て部５ｃと、から構成されている。板バネ部５ｂは、ハの字状に開いて支持凹部３ｄの前面側の壁面に当接しており、突き当て部５ｃを支持凹部３ｄの背面側の壁面に突き当てる方向に、ロック部材５を付勢している。
【００２８】
ロック部材５が第１の位置Ｐ１にある場合には、ロック凸部５ａが蓋体２の回動経路に突出し、蓋体２の背面がロック凸部５ａに当接して蓋体２は回動が阻止される。一方、ロック部材５が第２の位置Ｐ２にある場合には、ロック凸部５ａが蓋体２の回動経路から退避し、蓋体２はロック凸部５ａとの干渉を避けることで、ロック部材５に接触せずに回動を許容される。
【００２９】
（コンパクト容器の開閉動作）
図３（ａ）を用いてコンパクト容器１を開く時の動作について説明する。コンパクト容器１を開く時は、容器本体３の前面に配設される凹部３ｂ（図１参照）に指を入れて蓋体２をヒンジ部を中心に回動させる。すると、容器本体３に配設される中皿４の収納部４ａや、蓋体２に配設される鏡11が現れる。
【００３０】
蓋体２の開閉時のヒンジ部における動作を詳細に説明する。蓋体２を開くと、蓋体２の回動により得られたトルクが軸受部材31から回動部材32ｂへ伝達される。このトルクにより係合凹部32ｂ２と係合凸部32ｃ１との係合が外れ、回動部材32ｂが固定される蓋体２がより自由に動くようになる。
【００３１】
ここで図３（ａ）に示すように、係止部材32ｃは回動部材32ｂとの係合が外れるが、付勢部材32ｄにより回動部材32ｂ方向に常に付勢されている。すると、係合凸部32ｃ１と回動部材32ｂとの間には摩擦力が働き、回動部材32ｂが固定される蓋体２には適度な摩擦抵抗が働く。これにより、蓋体２を容器本体３に対して０°〜１８０°まで自由な角度に保持することができる。これをフリーストップ機構という。コンパクト容器１を使用する際には、蓋体２が開いたままの方が中皿４の収納部４ａにある化粧料を取りやすく、蓋体２が容器本体３に対して一定角度で止まっている方が鏡11を使用しやすいので、フリーストップ機構があることは有利である。
【００３２】
図３（ｂ）を用いてコンパクト容器１を閉じる時の動作について説明する。図３（ｂ）に示すように、コンパクト容器１を閉じる時、使用者が蓋体２を容器本体３に対して閉じると、回動軸部材32において、回動部材32ｂと係止部材32ｃとが互いに係合する位置へ移動する。
【００３３】
このとき、係合凹部32ｂ２と係合凸部32ｃ１とは、完全に嵌め合わされるのではなく、互いの傾斜面の途中で留まるように構成されている。すると、係止部材32ｃは、付勢部材32ｄの付勢力により回動部材32ｂ方向へ付勢されるため、係合凸部32ｃ１と係合凹部32ｂ２とは常に互いに嵌め合わされる方向へ移動しようとする。この構成により、コンパクト容器１が閉じた状態においても、嵌合凸部32ｂ１から蓋体２に固定される軸受部材31に対して、常に蓋体２が閉じる方向への付勢力が働くことになる。
【００３４】
（コンパクト容器のロック）
【００３５】
コンパクト容器１のロックを解除して蓋体２を開く場合には、まず、図５（ａ）に示すように、蓋体２を閉じた状態で、板バネ部５ｂの付勢力に抗してロック凸部５ａを支持凹部３ｄ内に押し込み、ロック部材５を第２の位置Ｐ２（図５（ｂ）参照）に移動させる。このとき、ロック凸部５ａの下部の操作凹部３ｅに指を入れることで、ロック凸部５ａを指で簡単に押し込むことができる。
【００３６】
図５（ｂ）に示すように、ロック部材５が第２の位置Ｐ２（蓋体２と干渉しない位置）に移動すると、蓋体２のロックが解除され、蓋体２を回動して開くことができる。このとき、ロック部材５は第１の位置Ｐ１に移動するように付勢されているため、蓋体２はロック凸部５ａを押圧した状態で回動する。
【００３７】
一方、蓋体２を閉じた状態にロックする場合には、蓋体２を回動して閉じると、蓋体２の背面がロック部材５の移動領域から退避し、板バネ部５ｂの付勢力によりロック部材５が自然に第１の位置Ｐ１に移動する。図５（ａ）に示すように、ロック部材５が第１の位置Ｐ１に移動すると、蓋体２の背面がロック凸部５ａに当接し、蓋体２は回動を阻止され、閉じた状態でロックされる。
【００３８】
上述のごとく、容器本体３の背面のヒンジ部にロック機構40を設けたことにより、蓋体２を閉じた保持するために、容器本体３の前面にフック機構を設けることなく、蓋体２と容器本体３を閉止状態でロックして不用意に蓋体２が開くことを防止できる。また、ロック部材５を支持凹部３ｄ内に設け、ロック凸部５ａのみ容器本体３の背面に現れる構成としたことにより、意匠的、実用的に優れたコンパクト容器１を構成することができる。
【００３９】
また、ロック部材５は、蓋体２をロックする第１の位置Ｐ１に戻るように付勢されているため、特別な操作をすることなく、蓋体２を閉じる動作に連動して自動的に蓋体２をロックすることができる。
【産業上の利用可能性】
【００４０】
本発明は、蓋体に容器本体とのフック機構のないコンパクト容器に利用可能である。
【図面の簡単な説明】
【００４１】
【図１】コンパクト容器の構成図である。
【図２】ヒンジ部の詳細構成の分解斜視図である。
【図３】（ａ）コンパクト容器を開いた状態におけるヒンジ部の説明図である。（ｂ）コンパクト容器を閉じた状態におけるヒンジ部の説明図である。
【図４】（ａ）容器本体の平面図である。（ｂ）コンパクト容器の断面図である。
【図５】（ａ）蓋体をロックした状態におけるヒンジ部の断面図である。（ｂ）蓋体のロックを解除した状態におけるヒンジ部の断面図である。
【符号の説明】
【００４２】
Ｐ１  …第１の位置、Ｐ２  …第２の位置、１    …コンパクト容器、２    …蓋体、２ａ  …ヒンジ用凸部、２ｂ  …切欠き、３    …容器本体、３ａ  …ヒンジ用凸部、３ｂ  …凹部、３ｃ  …周側壁、３ｄ  …支持凹部、３ｄ１ …摺動凹部、３ｄ２ …開口部、３ｄ３ …絞り部、３ｅ  …操作凹部、４    …中皿、４ａ  …収納部、５    …ロック部材、５ａ  …ロック凸部、５ｂ  …板バネ部、５ｃ  …突き当て部、11    …鏡、30    …ヒンジユニット、31    …軸受部材、31ａ  …嵌合凹部、32    …回動軸部材、32ａ１ …穴、32ａ２ …係止穴、32ｂ  …回動部材、32ｂ１ …嵌合凸部、32ｂ２ …係合凹部、32ｂ３ …円筒部、32ｃ  …係止部材、32ｃ１ …係合凸部、32ｄ  …付勢部材、32ｅ  …カバー底部材、32ｅ１ …付勢部材支持部、32ｅ２ …係止突起、40    …ロック機構
【図１】
2005279145.tif 000003
【図２】
2005279145.tif 000004
【図３】
2005279145.tif 000005
【図４】
2005279145.tif 000006
【図５】
2005279145.tif 000007